(57)【特許請求の範囲】
【請求項１】
岩盤中において水封式岩盤タンクに連通している既設の水途に近づく水封ボーリング孔であって水途となるべきものを形成させる孔形成工程と、前記水封式岩盤タンクに連通している前記既設の水途と前記水封ボーリング孔とを連通させて前記水封式岩盤タンクの内部に向かう地下水の流れを生じさせるために前記孔形成工程で形成した水封ボーリング孔から前記既設の水途に連通する亀裂であって水途となるべきものを形成させる亀裂形成工程とを含むことを特徴とする、水封式岩盤タンクに係る水途の形成方法。
【発明の詳細な説明】
【０００１】
【発明の属する技術分野】
本発明は、液化石油ガス等を貯蔵する水封式岩盤タンクに用いられる水封式岩盤タンクに係る水途（みずみち）の形成方法に関する。
【０００２】
【従来の技術】
液化石油ガス等を大量に貯蔵する技術的手段として水封式岩盤タンク方式があるが、これは、地下水面下の岩盤中に掘削して設けたタンクたる空洞内部で液化石油ガス等を常温高圧の状態で貯蔵するものである。
【０００３】
この水封式岩盤タンクは、一般的には、亀裂や破砕帯等（以下、発明の実施の形態を除き「亀裂」という）がタンク内部に連通しているような状態で設けられるが、亀裂が水途となってタンク内部に浸透する地下水を排出することにより、常にタンク内部に向かう地下水の流れを生じさせ、これにより、液化石油ガス等の蒸気圧よりも周辺岩盤の地下水圧を高く保持できる。すなわち、液化石油ガス等に対して水封機能を発揮できることになり、もって液化石油ガス等のタンク外部への漏出が阻止される。
【０００４】
しかしながら、地下水の絶対量が足りないなど、タンク内部に向かう地下水の流れが思うように得られない場合には、液化石油ガス等の蒸気圧よりも周辺岩盤の地下水圧を高く保持できず、水封機能が十分に発揮されないため、液化石油ガス等のタンク外部への漏出を招く虞がある。
【０００５】
そこで、従来にあっては、図３に示すように、水封式岩盤タンク１０１の上部において、該水封式岩盤タンク１０１の長手方向に沿って設けられる水封トンネル１０４及び水封トンネル１０４から岩盤中に向けて延設される複数の水封ボーリング孔１０３が施工されている。
【０００６】
これは、水封式岩盤タンク１０１の内部に連通している既設の水途たる亀裂１０２に対して水封ボーリング孔１０３を連結することにより、水封ボーリング孔１０３及び亀裂１０２を水封トンネル１０４と水封式岩盤タンク１０１の内部とをつなぐ水途として形成する。そして、水封トンネル１０４で効率的に集めた相当量の地下水を該水途を通じて水封式岩盤タンク１０１の内部へと供給することにより、水封機能を十分に担保することができるため、液化石油ガス等のタンク外部への漏出を確実に阻止することができる。
【０００７】
【発明が解決しようとする課題】
しかしながら、現状では、すべての水封ボーリング孔１０３を水封式岩盤タンク１０１の内部に連通している亀裂１０２に対して確実に連結させることは、ボーリングマシンの方向精度等に照らしてみて、きわめて困難といえる。
【０００８】
また、事前調査で岩盤の亀裂状況を十分に把握するには、詳細な調査をする必要があるが、このような調査は膨大な費用が必要な点からみて望ましくないばかりか、亀裂状況の完全な把握は技術的に困難である。
【０００９】
その一方、水封機能を十分に確保すべく、水封ボーリング孔１０３の間隔を密に配列したり、部分的に増設したりしようとすると、コストが膨大となるばかりでなく、結果的に亀裂１０２に連結しないこととなった水封ボーリング孔１０３が水途として機能しないことになり無駄が発生してしまう。
【００１０】
そこで、本発明の課題は、水封式岩盤タンクにおいて水封機能の十分な確保に資する水封式岩盤タンクに係る水途の形成方法を提供することにある。
【００１１】
【課題を解決するための手段】
すなわち、本発明に係る水封式岩盤タンクに係る水途の形成方法は、岩盤中において水封式岩盤タンクに連通している既設の水途に近づく水封ボーリング孔であって水途となるべきものを形成させる孔形成工程と、前記水封式岩盤タンクに連通している前記既設の水途と前記水封ボーリング孔とを連通させて前記水封式岩盤タンクの内部に向かう地下水の流れを生じさせるために前記孔形成工程で形成した水封ボーリング孔から前記既設の水途に連通する亀裂であって水途となるべきものを形成させる亀裂形成工程とを含むことを特徴としている。
【００１２】
本発明に係る水封式岩盤タンクに係る水途の形成方法によれば、水封ボーリング孔をタンク内部に連通している亀裂に対して確実に連結させることができるので、水封式岩盤タンクにおいて水封機能を十分に確保することができる。
【００１３】
【発明の実施の形態】
以下、添付図面に基づいて本発明の一実施の形態を詳細に説明する。
【００１４】
図１は本実施の形態に係る水封式岩盤タンクに係る水途の形成方法が適用された水封式岩盤タンク及び周辺岩盤を示す概略斜視図である。尚、本発明に係る水封式岩盤タンクに係る水途の形成方法は、水封トンネルの有無に関係なく適用可能であるが、本実施の形態は水封トンネルが存在する場合におけるものである。
【００１５】
同図において、符号１は、岩盤中において液化石油ガスを貯蔵する水封式岩盤タンク、符号２は、水封式岩盤タンク１に連結している既設の水途たる破砕帯、を示す。
【００１６】
また、符号３は、本水途の形成方法によって新しく設けられた水封ボーリング孔である水途（以下「第一の新設の水途」という）である、符号４は、本水途の形成方法によって新しく設けられた亀裂である水途（以下「第二の新設の水途」という）、を示す。
【００１７】
なお、符号５は、地下水を効率的に集める目的で設けられた水封トンネル、を示す。
【００１８】
すなわち、水封式岩盤タンク１と水封トンネル５との間においては、破砕帯（既設の水途）２と、本水途の形成方法によって新しく設けられた第一の新設の水途（水封ボーリング孔）３及び第二の新設の水途（亀裂）４とからなる水途が水封式岩盤タンク１の周辺岩盤において網羅的に確保されている。
【００１９】
このような水封トンネル５及び水途によれば、水封トンネル５の内部に効率的に集められた地下水を第一の新設の水途（水封ボーリング孔）３、第二の新設の水途（亀裂）４及び破砕帯（既設の水途）２を通じて水封式岩盤タンク１の内部に供給することができる。そして、その結果、水封機能が十分に確保されることとなり、液化石油ガスの水封式岩盤タンク１の外部への漏出を確実に阻止することができる。
【００２０】
次に、図２を用いて、本実施の形態に係る水封式岩盤タンク１に係る水途の形成方法について説明する。
【００２１】
（１）孔形成工程（図２（ａ）参照）
孔形成工程は、岩盤中において水封式岩盤タンク１に連通している破砕帯（既設の水途）２に近づく第一の新設の水途（水封ボーリング孔）３を形成させるというものである。
【００２２】
すなわち、水封トンネル５の内部においてボーリングマシンを用いることにより、岩盤中において水封トンネル５から破砕帯（既設の水途）２に近づく複数の第一の新設の水途（水封ボーリング孔）３を延設する。
【００２３】
図２（ａ）において、第一の新設の水途（水封ボーリング孔）３は、破砕帯（既設の水途）２に連結することができなかった。
【００２４】
（２）亀裂形成工程（図２（ｂ）参照）
亀裂形成工程は、孔形成工程で形成した第一の新設の水途（水封ボーリング孔）３から破砕帯（既設の水途）２に連通する第二の新設の水途（亀裂）４を形成させるというものである。
【００２５】
すなわち、孔形成工程の後、第一の新設の水途（水封ボーリング孔）３の先端部において静的破砕剤を用いることにより、岩盤中において強制的に第二の新設の水途（亀裂）４を形成する。なお、静的破砕剤に代えて、水圧破砕や発破などの他の技術的手段を用いても水途（亀裂）４の形成が可能である。
【００２６】
この結果、図２（ａ）において、第一の新設の水途（水封ボーリング孔）３は、第二の新設の水途（亀裂）４によって、破砕帯（既設の水途）２に連結されることになる。
【００２７】
これにより、水封式岩盤タンク１と水封トンネル５との間において、破砕帯（既設の水途）２、第一の新設の水途（水封ボーリング孔）３及び第二の新設の水途（亀裂）４からなる水途が確保されることとなる結果、水封機能が十分に確保され、もって液化石油ガスの水封式岩盤タンク１の外部への漏出は、確実に阻止されることになる。
【００２８】
【発明の効果】
本発明に係る水封式岩盤タンクに係る水途の形成方法によれば、水封ボーリング孔をタンク内部に連通している亀裂に対して確実に連結させることができ、もって水封式岩盤タンクにおいて水封機能を十分に確保することが可能となる。
【図面の簡単な説明】
【図１】本発明の一実施の形態に係る水封式岩盤タンクに係る水途の形成方法が適用された水封式岩盤タンク及び周辺岩盤を示す概略斜視図である。
【図２】本発明の一実施の形態に係る水封式岩盤タンクに係る水途の形成方法を説明する概略断面図である。
【図３】従来例である水封式岩盤タンクに係る水途の形成方法が適用された水封式岩盤タンク及び周辺岩盤を示す概略斜視図である。
【符号の説明】
１…水封式岩盤タンク
２…破砕帯（既設の水途）
３…第一の新設の水途（水封ボーリング孔）
４…第二の新設の水途（亀裂）
５…水封トンネル
１０１…水封式岩盤タンク
１０２…亀裂（既設の水途）
１０３…水封ボーリング孔
１０４…水封トンネル
【図１】
0004443021.tif 000002
【図２】
0004443021.tif 000003
【図３】
0004443021.tif 000004